(57)【要約】【課題】手動式のシャッター装置に、抉じ開けを検知する防犯装置を設けて、抉じ開けの検知とともに、防犯装置の異常操作を検知できる構成とする。【解決手段】手動式の建築用シャッター装置に、シャッターカーテン１の全閉状態を検知して全閉検知信号を出力する検知センサ１２と、シャッターカーテン１の開閉状態を報知するブザー装置１３と発光ダイオード１８と、ブザー装置１３と発光ダイオード１８との報知作動を規制する報知規制信号を出力する報知規制スイッチ１９と、全閉検知信号の入力で防犯制御状態に切り換わり、報知規制信号の入力がない状態で全閉検知信号の入力がなくなることの検知で報知手段に抉じ開け検知信号を出力する防犯制御部１５とを備えた防犯装置５を設け、前記防犯制御部１５に、防犯装置５の異常を検知して異常検知信号を出力する異常検知手段１５ｂを設ける構成とする。【選択図】図８
2008069561.tif 000002
【特許請求の範囲】
【請求項１】
躯体開口部に設けたシャッターカーテンを手動で開閉操作する手動式の建築用シャッター装置に、シャッターカーテンの全閉状態を検知して全閉検知信号を出力する全閉検知手段と、報知作動する報知手段と、報知手段の報知作動を規制する報知規制信号を出力する報知規制手段と、全閉検知信号の入力で防犯制御状態に切り換わり、報知規制信号の入力がない状態で全閉検知信号の入力がなくなることの検知で報知手段に抉じ開け検知信号を出力する防犯制御部とを備えた防犯装置を設け、前記防犯制御部に、防犯装置の異常を検知して異常検知信号を出力する異常検知手段を設けた手動式建築用シャッター装置における防犯装置。
【請求項２】
防犯制御部は、異常検知信号を報知手段に出力するように構成されている請求項１に記載の手動式建築用シャッター装置における防犯装置。
【請求項３】
異常検知手段は、報知規制手段の異常操作を検知して、報知手段に異常操作検知信号を出力するように構成されている請求項１または２に記載の手動式建築用シャッター装置における防犯装置。
【請求項４】
防犯装置は、該防犯装置に配設されたバッテリからの電源を受けて作動するものとし、異常検知手段は、バッテリの電圧低下を検知して、報知手段にバッテリ電圧異常検知信号を出力するように構成されている請求項１乃至３に記載の手動式建築用シャッター装置における防犯装置。
【請求項５】
防犯装置は、該防犯装置に配設されたバッテリからの電源を受けて作動するものとし、防犯制御部は、バッテリ交換時に、防犯装置の各手段の異常を自己診断するバッテリ交換時自己診断手段が設けられている請求項１乃至４の何れか一項に記載の手動式建築用シャッター装置における防犯装置。
【請求項６】
報知手段は、報知音を発音する発音装置および／または報知灯を点灯する点灯装置により構成されている請求項１乃至５の何れか一項に記載の手動式建築用シャッター装置における防犯装置。
【発明の詳細な説明】
【技術分野】
【０００１】
本発明は、建築物の開口部に建付けられ、手動による操作に基づいて開閉作動するシャッターカーテンを備えた手動式建築用シャッター装置における防犯装置の技術分野に属するものである。
【背景技術】
【０００２】
一般に、家宅侵入等の犯罪が多発している昨今においては、建築物の開口部に設けられる開閉装置に防犯装置を設けて、侵入者が不正侵入しようとした場合に、警報音を発する等の防犯作動により侵入者を威嚇して、内部への侵入を未然に防ぐことが提唱される。ところが、このような防犯装置は電源を必要とするため、予め電気配線の必要がない開閉装置にこのような防犯装置を設ける場合では、別途配線作業が必要となり、既設の開閉装置にこのような防犯装置を設ける場合には作業が煩雑になるという問題があった。
【０００３】
この改善策として、窓サッシに設けられる施錠装置に連動して作動する防犯装置を構成し、侵入者が窓サッシから不正侵入しようとした場合に、防犯装置に搭載したバッテリにより警報音が発音して侵入者を威嚇するようにしたものが提唱されている。
【特許文献１】特開２００４−１６９４８７
【発明の開示】
【発明が解決しようとする課題】
【０００４】
ところで、一般住宅の窓サッシの屋外側にはシャッター装置が設けられることがあり、両者が閉鎖されている住宅に不正侵入する場合では、まず、シャッター装置が抉じ開けられ、続いて窓サッシを開放して侵入することになる。このため、前記従来のように、窓サッシに防犯装置が設けられているだけでは充分でなく、侵入者を迅速に検知して威嚇するためには、防犯装置をシャッター装置にも設けることが望ましい。しかるに、従来、電源を必要としない手動式のシャッター装置に防犯装置を設けたものについての提唱はなく、窓サッシに設けた前記従来の防犯装置のような構造をシャッター装置に採用することが考えられるが、シャッター装置と窓サッシとは基本的な構成、構造が異なり、窓サッシ用の防犯装置をそのままシャッター装置用に採用することはできない。しかも、前記従来のものにおいて、窓サッシの通常の開放作動を行う場合では、警報解除手段（本発明の報知規制手段に相当する）を操作することにより、警報音を鳴らすことなく窓をサッシを開放することができるようにしているが、シャッターカーテンは窓サッシの屋外側に設けられるため、シャッターカーテンを開放している状態では警報解除手段が外部に露出している。このため、警報解除手段を悪戯される惧れがあり、このような条件を配慮して対策を設けることも要求され、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けたシャッターカーテンを手動で開閉操作する手動式の建築用シャッター装置に、シャッターカーテンの全閉状態を検知して全閉検知信号を出力する全閉検知手段と、報知作動する報知手段と、報知手段の報知作動を規制する報知規制信号を出力する報知規制手段と、全閉検知信号の入力で防犯制御状態に切り換わり、報知規制信号の入力がない状態で全閉検知信号の入力がなくなることの検知で報知手段に抉じ開け検知信号を出力する防犯制御部とを備えた防犯装置を設け、前記防犯制御部に、防犯装置の異常を検知して異常検知信号を出力する異常検知手段を設けた手動式建築用シャッター装置における防犯装置である。
請求項２の発明は、防犯制御部は、異常検知信号を報知手段に出力するように構成されている請求項１に記載の手動式建築用シャッター装置における防犯装置である。
請求項３の発明は、異常検知手段は、報知規制手段の異常操作を検知して、報知手段に異常操作検知信号を出力するように構成されている請求項１または２に記載の手動式建築用シャッター装置における防犯装置である。
請求項４の発明は、防犯装置は、該防犯装置に配設されたバッテリからの電源を受けて作動するものとし、異常検知手段は、バッテリの電圧低下を検知して、報知手段にバッテリ電圧異常検知信号を出力するように構成されている請求項１乃至３に記載の手動式建築用シャッター装置における防犯装置である。
請求項５の発明は、防犯装置は、該防犯装置に配設されたバッテリからの電源を受けて作動するものとし、防犯制御部は、バッテリ交換時に、防犯装置の各手段の異常を自己診断するバッテリ交換時自己診断手段が設けられている請求項１乃至４の何れか一項に記載の手動式建築用シャッター装置における防犯装置である。
請求項６の発明は、報知手段は、報知音を発音する発音装置および／または報知灯を点灯する点灯装置により構成されている請求項１乃至５の何れか一項に記載の手動式建築用シャッター装置における防犯装置である。
【発明の効果】
【０００６】
請求項１の発明とすることにより、防犯性が優れるばかりでなく、異常を検知することができて信頼性の高い防犯装置とすることができる。
請求項２の発明とすることにより、報知手段の兼用化を果すことができて、部品点数が削減されて防犯装置をコンパクト化できる。
請求項３の発明とすることにより、報知規制手段が悪戯されることを検知できて、信頼性が高まる。
請求項４の発明とすることにより、バッテリ切れにより報知作動ができなくなるような不具合を確実に防止して、防犯装置の信頼性を一層高めることができる。
請求項５の発明とすることにより、バッテリ交換時に生じる不具合を防止できるうえ、各手段の不具合を認識することができる。
請求項６の発明とすることにより、昼夜を問わず確実な報知作動ができて、侵入者への威嚇や使用者への注意喚起が確実になる。
【発明を実施するための最良の形態】
【０００７】
つぎに、本発明の実施の形態について、図面に基づいて説明する。
図面において、１は躯体開口部に配されるサッシ窓Ｓの外方（屋外側）を開閉する手動式シャッター装置のシャッターカーテンであって、該シャッターカーテン１は、左右方向長尺状のスラット１ａの複数枚を揺動自在な状態で上下方向一連状に連結して構成されている。前記シャッターカーテン１の上端縁部は、複数の連結金具１ｂを介し、開口部上方の躯体に固定されるシャッターケース２に回転自在に内装される巻き取りドラム３に連結されている。そして、前記巻き取りドラム３には、シャッターカーテン１の自重にバランスする図示しないバランス弾機が弾装されており、シャッターカーテン１を手動操作することに基づいて、シャッターカーテン１の自重に基づく閉鎖作動がなされる一方、該閉鎖作動時に付勢されたバランス弾機の付勢力によりシャッターカーテン１の開放作動がなされるように構成されており、これらの基本構成は、何れも従来の手動式シャッター装置と同様の構成となっている。
【０００８】
４は、開口部の左右両側部を構成する躯体に一体的に固定される一対のガイドレールであって、各ガイドレール４は、それぞれ屋内外一対の溝側片４ａ、４ｂと、これら溝側片４ａ、４ｂとを連結する溝底片４ｃとにより構成されるガイド溝４ｄに、シャッターカーテン１の左右両側縁部を遊嵌させることにより、シャッターカーテン１の開閉作動の移動案内をするように構成されている。そして、これら左右のガイドレール４のうち、一方のガイドレール４（図１の内観正面図において左側であり、以後の説明は、図１における配設状態を基準として説明する）の屋内側溝側片４ａには、後述するように、下端部屋内側面に位置して本発明が実施された防犯装置５が一体的に固定されている。
【０００９】
一方、前記シャッターカーテン１の下端部には座板１ｃが連結されており、該座板１ｃの屋内側面にはストッパ部材６が左右方向両端部に位置して設けられるが、これらストッパ部材６は、左右方向外端部がガイドレールガイド溝４ｄの溝開口に近接する状態で固定されている。前記各ストッパ部材６は、屋内側に突出する突片６ａがそれぞれ一体形成されており、これら突片６ａは、シャッターカーテン１の開放時に、シャッターケース２の下面により構成されるまぐさ２ａのうち、屋内側に位置するまぐさ２ａに当接することにより、シャッターカーテン１の上動規制をするように構成されている。そして、本実施の形態において、これらストッパ部材６のうち、防犯装置５配設側のストッパ部材６には、突片６ａの下方にマグネット７が設けられており、該マグネット７は、ガイドレール４側の端面７ａが外部に露出する状態でガイドレール４に配した防犯装置５に近接対向するように設けられている。
【００１０】
さて、前記防犯装置５は、上下方向（シャッターカーテン１の開閉方向）に長く、ガイドレール４の溝側片４ａ、４ｂよりも幅狭な左右幅を有し、屋内外方向幅が薄型に形成された薄型長尺状のケーシング８に、後述する必要な部材を内装して構成されている。前記ケーシング８は、ガイドレール４に取り付けた状態で屋内側に位置する側片を底片９ａとし、該底面９ａの外周縁から屋外側に向けて延出する上下、左右の側片９ｂ、９ｃ、９ｄ、９ｅを備えたボックス体９と、該ボックス体９の開口を覆蓋し、屋外側に位置する側片としてのカバー体１０とにより構成されている。そして、防犯装置５は、ケーシング８（ボックス体９とカバー体１０）の上下に屋内外方向貫通状に形成された固定用貫通孔８ａ、８ｂを挿通する螺子８ｃを用いてガイドレール屋内側溝側片４ａに一体的に固定されている。
因みに、本実施の形態では、防犯装置５を左側のガイドレール４の屋内側溝側片４ａに設ける構成としているが、設置環境によっては、右側のガイドレールの屋内側に設けることも想定される。このため、本実施の形態の防犯装置５は、屋内外方向に貫通する固定用貫通孔８ａ、８ｂを用いてガイドレール４に固定する構成とすることにより、左右何れのガイドレール４にも固定することができるように構成されている。
【００１１】
前記ボックス体９の底片９ａには上下方向に三箇所に位置して仕切り片９ｆがそれぞれ形成されるとともに、制御基板１１が固定されている。前記仕切り片９ｆは、ケーシング８内の下方から上方に向けて四つの第一〜第四収容部８ｄ、８ｅ、８ｆ、８ｇに仕切っており、これら第一〜第四収容部８ｄ、８ｅ、８ｆ、８ｇには、後述するように、防犯装置５を構成するための各種部材（本発明の各手段）が分散され、上下方向に並列状となって制御基板１１に固定されており、これら各種部材を制御基板１１上において適宜電気的な接続を行うことにより、手動式シャッター装置の防犯装置５が構成されている。
【００１２】
前記ケーシング８の最下位に位置する第一収容部８ｄには全閉検知手段を構成する検知センサ１２が設けられているが、該検知センサ１２は、全閉姿勢のシャッターカーテン１のマグネット７に対向する部位に位置するように設定されており、マグネット７を検知することによりシャッターカーテン１の全閉姿勢を検知して全閉検知信号を出力するように設定されている。さらに、第一収容部８ｄには、シャッターカーテン１が開放されたときに報知作動する報知手段としてブザー装置１３が設けられている。そして、該第一収容部８ｄを構成する右側片９ｅおよび下側片９ｃには複数の開口９ｇが開設されており、これら開口９ｇを介してブザー装置１３によるブザー音の放出がなされるように設定され、これら開口９ｇには、水、埃、虫等の異物の浸入を防止するためのスピーカーフィルター１４が一体に設けられている。ここで、ブザー装置１３は、発音口１３ａが開口９ｇとは反対側に向くように組み込まれており、これによって、ブザー音を、ケーシング８の側片に反射する反射音を含めた拡大された音量で外部に放出するように構成されている。
【００１３】
前記第二収容部８ｅには、防犯制御手段に相当するマイクロコンピュータで構成される防犯制御部１５が設けられている。さらに、第三収容部８ｆには、電源を供給するバッテリユニット１６が着脱自在に設けられるが、第三収容部８ｆを構成する右側片９ｅは、上下方向略全長にわたる装着口９ｈが切り欠き形成されており、該装着口９ｈを介してバッテリユニット１６を着脱することができるように構成されている。
ここで、前記バッテリユニット１６は、ケース体１７に上下一対のバッテリ１６ａを保持状に収容して構成されており、ケーシング８の装着口９ｈに着脱自在に組み込まれるように設定され、装着口９ｈに組み込んだ状態では、装着口９ｈを塞いだ状態で、かつ、装着口９ｈから抜止めされた状態となるように構成されている。
因みに、１１ａ、１１ｂは各バッテリ１６ａを制御基板１１に接続するための第一、第二端子プレートである。
【００１４】
また、ケーシング８の最上位に位置する第四収容部８ｇには、報知手段として点灯する発光ダイオード１８（報知灯）が収容されるとともに、報知規制手段としてマイクロスイッチで構成される報知規制スイッチ１９が設けられている。前記報知規制スイッチ１９は、スイッチ部１９ａを押し操作されることにより報知規制信号を出力するように構成されている。
尚、２０は、発光ダイオード１８の光を開口部上方に向けて照射する反射体であって、使用者への視認性を高めるように構成されている。
また、報知規制スイッチ１９のスイッチ部１９ａは、ケーシング８の右側片９ｅを切り欠いて形成したスイッチ操作体９ｉにより押圧操作するように構成されている。このとき、スイッチ操作体９ｉはスイッチ部１９ａよりも大きい外形状に形成され、これによって、スイッチ部１９ａの操作面積を大きくして操作性が向上するように構成されている。さらに、スイッチ操作体９ｉは右方に向けて膨出して形成されている一方、第四収容部８ｇの右側片９ｅ全体に化粧シート材２１が貼着されているが、化粧シート材２１のスイッチ操作体９ｉ対向部位を白色に彩色し、その他の部位を黒色に彩色することにより、スイッチ操作体９ｉの視認性が高められ、操作性のさらなる向上が図れるように配慮されている。
【００１５】
そして、防犯装置５は、バッテリ１６ａにより電源供給を受け、制御基板１１上において防犯制御部１５に検知センサ１２、ブザー装置１３、報知規制スイッチ１９、発光ダイオード１８等、必要な部材をそれぞれ接続することにより、シャッターカーテン１の防犯制御を行うように設定されている。そして、防犯制御部１５は、防犯制御手段１５ａに基づく制御として、検知センサ１２がストッパ部材６に固定されたマグネット７を検知して、シャッターカーテン１の全閉検知信号を入力することに伴い防犯制御状態（防犯制御モード）となり、この状態になると、防犯装置５の第四収容部８ｇの報知規制スイッチ１９のスイッチ部１９ａ（スイッチ操作体９ｉ）が押圧されることによる報知規制信号（防犯制御解除信号）の入力がない状態で全閉検知信号の入力がなくなった場合では、これを抉じ開けと判断して抉じ開け検知信号を報知手段であるブザー装置１３と発光ダイオード１８とに対して出力し、ブザー装置１３と発光ダイオード１８とをそれぞれ報知作動（警報作動）させ、侵入者を威嚇するとともに居住者に報知するように設定されている。
また、報知規制信号の入力があって全閉検知信号の入力がなくなった場合では、これをシャッターカーテン１の通常の開放作動と判断して、ブザー装置１３の発音を規制するように設定され、これによって、シャッターカーテン１の正常な使用状態では警報作動がなされることがなく、操作性のよい防犯装置５となっている。
【００１６】
ところで、防犯装置５は、サッシ窓Ｓの屋外側に配設されるガイドレール４に設けられているため、シャッターカーテン１が開放したときには外部に露出することになる。このため、防犯制御部１５には、異常検知手段１５ｂが備えられており、シャッターカーテン１の開放時に外部に露出する防犯装置５の報知規制スイッチ１９のスイッチ部１９ａが、所定時間以上押し続けられたことや、予め設定される回数を越えて繰り返し押し操作されたことを検知して、これを不審者等による悪戯や誤作動等の異常と判断して、異常操作検知信号（異常検知信号）を報知手段であるブザー装置１３と発光ダイオード１８とに出力し、これらをそれぞれ報知作動（告知作動）させて使用者に注意喚起するように設定されている（開放時異常検知）。
さらに防犯制御部１５は、シャッターカーテン１の全閉時において、報知規制スイッチ１９に異常（ＯＮ状態のままになる、または、繰返しＯＮ状態になる）が生じているか否かを判断するように構成されており、前記何れかの異常があると判断した場合では、異常操作検知信号を報知手段であるブザー装置１３と発光ダイオード１８に出力し、それぞれを報知作動（告知作動）させて使用者に注意喚起するように設定されている（閉鎖時異常検知）。
また、異常検知手段１５ｂは、防犯装置５に搭載されるバッテリ１６ａの電圧が予め設定される電圧よりも低下して、抉じ開け検知がなされた場合に報知手段の報知作動を保障できる最低限の電圧値となったことを検知した場合に、バッテリ切れが近付いていると判断してバッテリ電圧異常検知信号（異常検知信号）をブザー装置１３と発光ダイオード１８とに出力し、それぞれを報知作動（告知作動）させて使用者に注意喚起するように設定されている（バッテリ電圧異常検知）。
因みに、ブザー装置１３と発光ダイオード１８とにより構成される報知手段による報知作動は、各異常検知信号に基づく報知作動（告知作動）と抉じ開け検知信号に基づく報知作動（警報作動）とで、作動形態が異なるように設定されている。
【００１７】
さらに、防犯制御部１５には、バッテリ交換時自己診断手段１５ｃが設けられており、ケーシング８にバッテリユニット１６を組み込んだ状態において、予め設定される時間内にシャッターカーテン１を全閉とするとともに、報知規制スイッチ１９のスイッチ部１９ａを押し操作することにより、ブザー装置１３と発光ダイオード１８がそれぞれ所定の報知作動をするように設定されている。これによって、バッテリ１６ａを交換するべくバッテリユニット１６を組み込んだときに、ブザー装置１３と発光ダイオード１８との報知作動を確認することにより、防犯装置５の各手段の不具合を認識することができるように構成されている。
ここで、報知手段であるブザー装置１３と発光ダイオード１８とによる警報作動、あるいは、告知作動のうち、告知作動は、後述するように、防犯制御部１５からの検知信号に対応してそれぞれ区別された作動形態としているが、同じ作動形態としてもよい。
【００１８】
つぎに、防犯装置５の防犯制御部１５による各種制御手順の一例について、図７〜１０のブロック図、フローチャートに基づいて説明する。
最初に、防犯制御部１５の防犯制御手段１５ａに基づく防犯制御と、防犯制御の過程における異常検知手段１５ｂに基づく異常検知制御について説明する。
前記防犯制御部１５は初期設定に続いて、検知センサ１２からの全閉検知信号の入力があるか否かを判断する。そして、全閉検知信号の入力があって、シャッターカーテン１が全閉状態であると判断すると、防犯制御部１５は、防犯制御モード（防犯制御状態）となるが、このとき、防犯制御部１５は、異常検知手段１５ｂに基づいて、バッテリ１６ａの電圧が抉じ開け検知に伴う報知作動（警報作動）の実行を保証できる最低限の電圧値に、予め設定される電圧値を負荷した電圧値であるＭボルト（ＭＶ、例えばＭ＝２．８）以下であるか否かを判断し（バッテリ電圧検知）、バッテリ１６ａの電圧がＭボルトよりも高く、報知手段が正常に作動すると判断された場合では、ブザー装置１３を予め設定される時間（例えば二秒）のあいだ連続鳴動する第一ブザー音を鳴動させるとともに、発光ダイオード１８を予め設定される時間（例えば二秒）のあいだ連続点灯させる第一点灯をせしめ、シャッターカーテン１の使用者（ユーザー）に防犯制御部１５が防犯制御モードになったことを報知（告知）するように設定されている。
一方、防犯制御部１５において、バッテリ１６ａの電圧が低下していて電圧値がＭＶ以下であると判断された場合では、防犯制御部１５はバッテリ電圧異常検知信号を出力し、ブザー装置１３を予め設定される時間（例えば二秒）のあいだ間欠鳴動させる第二ブザー音を鳴動させるとともに、発光ダイオード１８を予め設定される時間（例えば二秒）のあいだ点滅点灯させる第二点灯をせしめ、シャッターカーテン１の使用者に、バッテリ１６ａの電圧が低下していることを告知し、続いて、ブザー装置１３を予め設定される時間（例えば二秒）のあいだ連続鳴動する前記第一ブザー音を鳴動させるとともに、発光ダイオード１８を予め設定される時間（例えば二秒）のあいだ連続点灯させる前記第一点灯をせしめて、シャッターカーテン１の使用者（ユーザー）に防犯制御部１５が防犯制御モードになったことを報知するように設定されている。
【００１９】
前記防犯制御モードになると、防犯制御部１５は、報知規制スイッチ１９のスイッチ部１９ａ（スイッチ操作体９ｉ）が押し操作されて、防犯制御モードを解除して防犯解除モードにする報知規制信号（制御解除信号）の入力がなされたか否かの判断をするように設定されている。そして、報知規制信号の入力があると判断した場合では、防犯制御モードを防犯解除モードとする一方で、ブザー装置１３を、例えば予め設定される時間（例えば一秒）のあいだ連続鳴動する第三ブザー音を鳴動させるとともに、発光ダイオード１８を予め設定される時間（例えば十秒）のあいだ点滅点灯させる第三点灯させ、シャッターカーテン１の使用者（ユーザー）に、防犯制御部１５が防犯解除モードになったことを告知するように設定されている。
さらに、前記防犯解除モードになることに伴い、防犯制御部１５は、防犯制御手段１５ａに基づく制御とともに、報知規制スイッチ１９の異常操作があるか否かを判断するべく異常検知手段１５ｂに基づく閉鎖時異常検知を行うように設定されており、防犯制御部１５は、第一タイマ時間（例えば十秒）に設定された第一タイマをセットし、第一タイマ時間のあいだに全閉検知信号の入力がなくなって、シャッターカーテン１が開放したか否かを判断するように設定されている。そして、第一タイマ時間のあいだに全閉検知信号の入力がなくなった場合では、防犯制御部１５は、シャッターカーテン１が正常に開放されたと判断するように設定され、この状態となると、防犯制御部１５は、開放時における報知規制スイッチ１９の異常操作がなされたか否かを検知する開放時異常検知に移行するように設定されている。
【００２０】
一方、防犯解除モードにおいて、第一タイマ時間のあいだ全閉検知信号の入力が継続していると判断した場合では、防犯制御部１５は、第一タイマ時間のあいだにシャッターカーテン１が開放されることがないにもかかわらず、報知規制スイッチ１９（スイッチ部１９ａ）が操作（報知規制信号が入力）される異常操作（誤操作）がなされたと判断するように設定されている。そして、防犯制御部１５は、異常操作をカウント（積算）し、前記カウント値がＮ回（本実施の形態では三回）に達したか否か、即ち、シャッターカーテン１を開放しないのに報知規制スイッチ１９が押し操作されることがＮ回繰り返されたか否かを判断するように設定されている。そして、防犯制御部１５は、報知規制スイッチ１９の異常操作がＮ回繰り返しなされたと判断した場合では、例えば報知規制スイッチ１９に異常があると判断して異常操作検知信号を出力し、ブザー装置１３を予め設定される時間（例えば三秒）のあいだ間欠鳴動する第四ブザー音を鳴動させるとともに、発光ダイオード１８を予め設定される時間（例えば三秒）のあいだ点滅点灯させる第四点灯をして使用者に告知し、初期設定状態に戻るように設定されている。
尚、異常操作のカウント値Ｎを１に設定することにより、異常があるごとに報知作動をするように構成することができ、カウント値Ｎは設置環境やユーザーの要望等を考慮して設定することができる。
【００２１】
ここで、シャッターカーテン１の全閉状態において、障害物が報知規制スイッチ１９のスイッチ部１９ａに当接して、スイッチ部１９ａを押し続けてしまうようなこと（長押し異常）が想定される。そこで、防犯制御部１５を、前記閉鎖時異常検知において、防犯解除モードになった状態で報知規制信号が第一タイマ時間を越えて継続して入力された場合に、これを長押し異常と判断し、前記第一タイマ時間経過後に予め設定されるタイマ時間（例えば三分）において、報知規制信号の入力が継続されているあいだ異常検知信号を出力し続けてブザー装置１３を連続鳴動させるとともに、発光ダイオード１８を点滅点灯させる制御構成とすることができる。そして、このようにした場合では、前記異常操作とは別に長押し異常についても使用者に告知することができる。
尚、防犯制御モードにおいて異常検知がなされた場合、防犯制御部１５は告知作動を行うとともに初期状態に戻るように設定されており、これによって、シャッターカーテン１が全閉状態のままであれば異常検知をしても防犯制御モードを維持することができて、防犯性が損なわれることがないように構成されている。さらに、このとき、異常検知後に、バッテリ電圧の検知を再度行う構成となっており、これによって、バッテリ１６ａの電圧低下により警報作動がなされないような不具合を確実に防止するように構成されている。
【００２２】
また、前記防犯制御モードにおいて、報知規制信号が入力なされないにもかかわらず、全閉検知信号の入力がなくなった場合では、防犯制御部１５は、侵入者により抉じ開けられたと判断し、ブザー装置１３を予め設定される時間（例えば三分であって第二タイマ時間）のあいだ連続鳴動させる第五ブザー音（警報音、威嚇音）を鳴動させるとともに、発光ダイオード１８を予め設定される時間（例えば三分）のあいだ点滅点灯する第五点灯させるように設定されており、このように、報知手段を警報作動させることにより、侵入者を威嚇するとともに、居住者等、周囲の人に報知するように設定されている。
【００２３】
ここで、通常使用の過程で、スイッチ操作体９ｎの押し操作（報知規制スイッチ１９の操作）を忘れてシャッターカーテン１を開放させてしまうことが想定され、その場合では、前述したように、第五ブザー音の鳴動、かつ、発光ダイオード１８の第五点灯が予め設定される時間（例えば三分であって、第二タイマ時間）のあいだなされることになって騒音等煩わしい状態となるが、本実施の形態では、図９のフローチャートに示す消音制御を行うことで鳴動、点灯している第五ブザー音、第五点灯を前記第二タイマ時間が経過する以前の段階でそれぞれ解除（消音、消灯）して、防犯制御部１５を初期設定状態に戻すことができるように構成されている。
つまり、前記消音制御では、防犯制御部１５は、第五ブザー音、第五点灯がそれぞれ鳴動、点灯している状態において、シャッターカーテン１が再度全閉状態に閉鎖されるとともに、報知規制スイッチ１９のスイッチ部１９ａが操作されて、全閉検知信号と報知規制信号との入力がなされたか否かを判断し、両者の信号が入力されたことを消音信号と判断し、鳴動、点灯しているブザー装置１３、発光ダイオード１８に対して消音、消灯信号を出力して第五ブザー音、第五点灯をそれぞれ解除するように構成されている。因みに、消音制御を、シャッターカーテン１の屋内側に位置する報知規制スイッチ１９の操作を必要とする構成にすることで、消音制御をシャッターカーテン１の外部（屋外側）から実行することができないようにすることができ、これによって、侵入者に警報作動を停止されるような惧れがなく、一層防犯性に優れるように構成されている。
【００２４】
さらに、シャッターカーテン１が開放状態であって、防犯制御部１５に全閉検知信号の入力がなく防犯解除モードとなっている状態では、防犯制御部１５は、報知規制スイッチ１９の異常操作があるか否かを判断する開放時異常検知を行うように設定されている。
この状態において、防犯制御部１５は、報知規制信号の入力がなされたか否かを判断し、報知規制信号の入力があると判断した場合では、報知規制スイッチ１９が操作されたことを異常操作（誤操作、あるいは、悪戯による操作）としてカウントするとともに、第三タイマ時間（例えば入りタイマとして十秒、続いて切りタイマとして３分）に設定された第三タイマをセットする。
【００２５】
続いて、防犯制御部１５は、異常操作のカウント値がＮ回（本実施の形態では三回）か否か、即ち、シャッターカーテン１が開放状態であるのに報知規制スイッチ１９がＮ回繰り返し操作されたか否かを判断するように設定されている。そして、防犯制御部１５は、報知規制スイッチ１９の異常操作がＮ回目である（Ｎ回繰り返し操作された）と判断した場合では、不審者により悪戯されていると判断して異常操作検知信号を出力し、予め設定される時間（例えば三秒）のあいだ間欠鳴動する第四ブザー音を鳴動させるとともに、発光ダイオード１８を予め設定される時間（例えば三秒）のあいだ点滅点灯させる第四点灯をして使用者に告知（警報）するように設定されている。
これに対し、異常操作がＮ回に達していない（Ｎ未満である）場合では、防犯制御部１５は、入りタイマ時間（十秒）のあいだ報知検知信号の入力が継続しているか否かを判断し、報知検知信号の入力が十秒以内であった場合では、初期設定状態に戻るように設定されている。一方、報知検知信号の入力が入りタイマ時間より長く継続されている場合では、例えば不審者が悪戯で報知規制スイッチ１９のスイッチ部１９ａを押し操作し続けていると判断して、切りタイマ時間（三分）が経過するまでのあいだにおいて、報知規制信号の入力が継続しているあいだ異常検知信号の出力を継続して、ブザー装置１３を連続鳴動させるとともに発光ダイオード１８を点滅点灯させて、不審者を威嚇し、かつ、使用者に告知（警報）するように設定されており、該威嚇、告知（警報）作動の終了後に初期設定状態に戻るように設定されている。
尚、異常操作がＮ回目であって第四ブザー音の鳴動、第四点灯による告知作動を終了した場合では、防犯制御部１５は、告知作動終了後に報知規制信号の入力があるか否かを判断し、入力されている場合では、Ｎ回に達していない状態における開放異常検知と同様に、切りタイマ時間（三分）が経過するまでのあいだにおいて、報知規制信号の入力が継続しているあいだ異常検知信号の出力を継続して、ブザー装置１３を連続鳴動させるとともに発光ダイオード１８を点滅点灯させて、不審者を威嚇、かつ、使用者に告知するように設定され、該威嚇、告知作動の終了後に初期設定状態に戻るように設定されている。
尚、異常操作のカウント値Ｎを１に設定することにより、異常があるごとに告知作動をするように構成することができ、カウント値Ｎは設置環境やユーザーの要望等を考慮して設定することができる。
【００２６】
つぎに、防犯制御部１５のバッテリ交換時自己診断手段１５ｃによる自己診断制御の制御手順について説明する。
バッテリユニット１６のバッテリ１６ａを交換し、バッテリユニット１６をケーシング８に正常に組み込んだ段階で、防犯制御部１５は、直ちに防犯制御モードになることはなく、予め設定される第四タイマ時間（例えば二分）に設定される第四タイマをセットするように設定されている。そして、前記第四タイマ時間のあいだに、シャッターカーテン１が全閉であることの検知である全閉検知信号と、報知規制スイッチ１９のスイッチ部１９ａが押し操作されることによる報知規制信号との両者の信号が入力された場合に、防犯制御部１５は、防犯制御モードになるように設定されている。そして、このとき、防犯制御部１５は、ブザー装置１３を予め設定される時間（例えば二秒）のあいだ連続鳴動する第一ブザー音を鳴動させるとともに、発光ダイオード１８を予め設定される時間（例えば二秒）のあいだ連続点灯させる第一点灯をさせるように設定されている。これによって、使用者は、バッテリ１６ａ交換時に第一ブザー音と第一点灯とを確認することにより、報知規制スイッチ１９、発光ダイオード１８、ブザー装置１３、検知センサ１２の各部材がそれぞれ正常に作動していることを確認することができるようになっており、該構成がバッテリ交換時自己診断手段である。
【００２７】
叙述の如く構成された本形態において、防犯装置５を、電源配線のない手動式シャッター装置に対しても、配線作業等をすることなく簡単、かつ、容易に取り付けることができて、手動式シャッター装置に高い防犯性を付与することが可能となる。しかも、このものでは、通常のシャッターカーテン１の開放作動と、侵入者による抉じ開けとを区別してブザー装置１３を発音（鳴動）して侵入者を威嚇することができる。さらにこのものでは、防犯装置５が屋外に露出することがあるが、このとき、防犯制御部１５は、防犯装置５の異常、例えば、報知規制スイッチ１９を悪戯されたこと等の異常を検知することができるので、防犯性が優れるばかりでなく、信頼性の高い防犯装置５とすることができる。
【００２８】
このように、本発明が実施されたものにあっては、異常検知したとき、抉じ開け検知したときに、防犯制御部１５は報知手段を報知作動させるが、このものでは、何れの場合でも同様の報知手段（ブザー装置１３と発光ダイオード１８）を報知作動させる構成としたので、報知手段の兼用化を果すことができて、部品点数を削減し、防犯装置５をコンパクト化することができる。
【００２９】
しかも、本発明が実施されたものでは、防犯装置５がサッシ窓Ｓの屋外側に配されて悪戯される惧れがあるが、防犯制御部１５は、報知規制スイッチ１９の操作が悪戯されたことを異常として検知することができるので、防犯性が優れる一方で、操作性、信頼性を高めることができる。
【００３０】
報知規制スイッチ１９の悪戯や異常操作だけでなく、防犯装置５に搭載されたバッテリ１６ａの電圧検知をして、抉じ開けに伴う報知作動を確実にできる電圧値よりも低下していた場合では、報知手段による告知がなされるようにしたので、信頼性の一層高い防犯装置５とすることができる。
【００３１】
そのうえ、このものでは、バッテリユニット１６をケーシング８に組み込む作業を実施したとき、防犯制御部１５が各手段、即ち、報知規制スイッチ１９、発光ダイオード１８、検知センサ１２、ブザー装置１３の正常作動を確認することができるので、バッテリユニット１６が正常な接続をしない状態で組み込まれるような不具合がないうえ、バッテリ交換による不具合の発生を低下させることができる。しかも、バッテリ交換時に、防犯装置５の各手段の不具合を認識することができるので、メンテナンスの必要性を速やかに判断することが可能となる。
【００３２】
さらに、このものにおいて、報知手段としてブザー装置１３と発光ダイオード１８との両者を用いる構成とした場合では、抉じ開けや異常発生時に音と光の両者による報知がなされることになり、視覚的、聴覚的に報知することができ、昼夜を問わず確実な警報作動、告知作動を実現できることになって、侵入者への威嚇や使用者への注意喚起を確実に行うことができる。
【図面の簡単な説明】
【００３３】
【図１】手動式シャッター装置のシャッターカーテンの一部を切り欠いた正面図である。
【図２】図２（Ａ）、（Ｂ）は手動式シャッター装置の一部を切り欠いた側面断面図、平面図である。
【図３】図３（Ａ）、（Ｂ）、（Ｃ）、（Ｄ）はそれぞれケーシングの正面図、側面図、背面図、底面図である。
【図４】図４（Ａ）、（Ｂ）、（Ｃ）はそれぞれ防犯装置の側面図、防犯装置からカバー体を取り外した状態の背面図、図４（Ｂ）のＸ−Ｘ断面図である。
【図５】図５（Ａ）、（Ｂ）、（Ｃ）、（Ｄ）、（Ｅ）はそれぞれボックス体の正面図、側面図、背面図、図５（Ｃ）におけるＸ−Ｘ断面図、図５（Ｂ）におけるＹ−Ｙ断面図である。
【図６】図６（Ａ）、（Ｂ）、（Ｃ）、（Ｄ）、（Ｅ）はそれぞれカバー体の正面図、側面図、背面図、図６（Ａ）のＸ−Ｘ断面図、底面図である。
【図７】防犯制御部の制御状態を説明するブロック図である。
【図８】防犯制御部の制御手順を説明するフローチャートである。
【図９】防犯制御部の消音制御における制御手順を説明するフローチャートである。
【図１０】防犯制御部の自己診断制御における制御手順を説明するフローチャートである。
【符号の説明】
【００３４】
１    シャッターカーテン
４    ガイドレール
５    防犯装置
６    ストッパ部材
７    マグネット
８    ケーシング
１１    制御基板
１２    検知センサ
１３    ブザー装置
１５    防犯制御部
１６    バッテリユニット
１８    発光ダイオード
１９    報知規制スイッチ
【図１】
2008069561.tif 000003
【図２】
2008069561.tif 000004
【図３】
2008069561.tif 000005
【図４】
2008069561.tif 000006
【図５】
2008069561.tif 000007
【図６】
2008069561.tif 000008
【図７】
2008069561.tif 000009
【図８】
2008069561.tif 000010
【図９】
2008069561.tif 000011
【図１０】
2008069561.tif 000012